(57)【要約】【課題】芯を繰り出す際に本体を振るという振出式シャープペンシルの操作方法に着眼して、装飾効果の高いシャープペンシルを提供することを目的とする。【解決手段】本体を前後に振ることにより生じる重量体の慣性力で芯繰出機構のチャッックを前進させて芯の繰り出しを行う振出式シャープペンシルの軸筒であって、前記軸筒が透明な外筒と、該外筒の内側に間隙を設けて内設させた内筒とを有し、前記外筒の側面に内部が視認できる透過部を有した第一の加飾部を設け、前記内筒の側面に前記外筒の透過部より視認できる第二の加飾部を設け、且つ前記外筒と内筒との間隙に、前記外筒の透過部より視認できる第三の加飾部を設けた加飾体を前記本体の振動に伴い従動するよう配設したことを特徴とする振出式シャープペンシル。【選択図】図３
2008265102.tif 000002
【特許請求の範囲】
【請求項１】
本体を前後に振ることにより生じる重量体の慣性力で、軸筒に配設した芯繰出機構のチャッックを前進させて芯の繰り出しを行う振出式シャープペンシルであって、前記軸筒が透明な外筒と、該外筒の内側に間隙を設けて内設させた内筒とを有し、前記外筒の側面に内部が視認できる透過部を有した第一の加飾部を設け、前記内筒の側面に前記外筒の透過部より視認できる第二の加飾部を設け、且つ前記外筒と内筒との間隙に、前記外筒の透過部より視認できる第三の加飾部を設けた加飾体を前記本体の振動に伴い従動するよう配設したことを特徴とする振出式シャープペンシル。
【請求項２】
前記加飾体が、前記本体の振動に伴い前後動することを特徴とする請求項１に記載の振出式シャープペンシル。
【請求項３】
前記加飾体を前記本体の振動に伴い前後動する摺動筒とし、且つ該摺動筒に透過部を設け、前記摺動筒の透過部より前記内筒の側面に設けた第二の加飾部を視認可能としたことを特徴とする請求項２に記載の振出式シャープペンシル。
【請求項４】
前記加飾体を、前記軸筒の円周方向に回転可能に配設したことを特徴とする請求項１ないし３のいずれか１項に記載の振出式シャープペンシル。
【請求項５】
前記加飾体の内面または前記内筒の外面に突部を形成し、該突部に対向する前記加飾体の内面または前記内筒の外面に、前記軸筒の軸心に沿った方向に対して傾斜する溝部を設け、該傾斜した溝部に前記突部を遊嵌させることで、前記加飾体が前記軸筒の振動に伴い前記溝部の傾斜方向に沿って回転しながら前後動することを特徴とする請求項２ないし４のいずれか１項に記載の振出式シャープペンシル。
【発明の詳細な説明】
【技術分野】
【０００１】
本発明はシャープペンシルに関し、更に詳しくは、本体を振ることで芯を繰り出すことができる振出式シャープペンシルに関する。
【背景技術】
【０００２】
従来より、本体を振って軸筒内に収容した重量体を前後動させることにより、芯繰出機構のチャッックを前進させて芯の繰り出しを行う構造のシャープペンシルはよく知られている。このような構造のシャープペンシルにおいて、軸筒が透明な外筒と該外筒の内側に隙間を設けて配した内筒とを有し、前記内筒に対し直接あるいは熱収縮性フィルムを介して模様を加飾した構造のものが提案されている（特許文献１参照）。
【特許文献１】「特開２００５−３３５３６２号公報」
【発明の開示】
【発明が解決しようとする課題】
【０００３】
ところで、本体を振ることにより芯を繰り出すことができる振出式シャープペンシルは、多くのシャープペンシル構造にあるノック操作を行わなくても芯の繰り出しを行えることから、操作上の利点がある。本発明では、芯を繰り出す際に本体を振るという振出式シャープペンシルの操作方法に着眼して、装飾効果の高いシャープペンシルを提供することを目的とする。
【課題を解決するための手段】
【０００４】
本発明は、
「１．本体を前後に振ることにより生じる重量体の慣性力で、軸筒に配設した芯繰出機構のチャッックを前進させて芯の繰り出しを行う振出式シャープペンシルであって、前記軸筒が透明な外筒と、該外筒の内側に間隙を設けて内設させた内筒とを有し、前記外筒の側面に内部が視認できる透過部を有した第一の加飾部を設け、前記内筒の側面に前記外筒の透過部より視認できる第二の加飾部を設け、且つ前記外筒と内筒との間隙に、前記外筒の透過部より視認できる第三の加飾部を設けた加飾体を前記本体の振動に伴い従動するよう配設したことを特徴とする振出式シャープペンシル。
２．前記加飾体が、前記本体の振動に伴い前後動することを特徴とする１項に記載の振出式シャープペンシル。
３．前記加飾体を前記本体の振動に伴い前後動する摺動筒とし、且つ該摺動筒に透過部を設け、前記摺動筒の透過部より前記内筒の側面に設けた第二の加飾部を視認可能としたことを特徴とする２項に記載の振出式シャープペンシル。
４．前記加飾体を、前記軸筒の円周方向に回転可能に配設したことを特徴とする１項ないし３項のいずれか１項に記載の振出式シャープペンシル。
５．前記加飾体の内面または前記内筒の外面に突部を形成し、該突部に対向する前記加飾体の内面または前記内筒の外面に、前記軸筒の軸心に沿った方向に対して傾斜する溝部を設け、該傾斜した溝部に前記突部を遊嵌させることで、前記加飾体が前記軸筒の振動に伴い前記溝部の傾斜方向に沿って回転しながら前後動することを特徴とする２項ないし４項のいずれか１項に記載の振出式シャープペンシル。」
である。
【０００５】
透明な外筒には、外筒の側面に模様を印刷したり、外筒自体の一部を着色樹脂で成形したり、あるいは外筒の側面に別部材である装飾体を貼着したり、種々の方法により第一の加飾部を設けることができる。尚、透過部は、複数の加飾部の隙間から中が見えるようにしたり加飾部自体を中が透ける構造として設けることができる。また内筒には、内筒の側面に模様を印刷したり、内筒自体の一部を着色樹脂で成形したり、あるいは内筒の側面に装飾体を貼着したり、種々の方法により第二の加飾部を設けることができる。当該第二の加飾部は前記透明な外筒の透過部より視認できる位置に設けることが肝要である。また外筒と内筒との間隙に配設する加飾体は、芯を繰り出す際に本体を振る振動に伴って動く構造とすればよく、加飾体に設ける加飾部は、加飾体の一部に模様を設けたり、あるいは加飾体自体が装飾性を有する形態に構成してもよい。例えば、模様を設けた円筒状の加飾体を内筒の周囲に遊嵌させて、本体を振った際に加飾体が従動して前後動するようにしたり、加飾体を弾性材からなる線状体などで形成し、本体を振った際に加飾体が揺動する構造などにすればよいが、肝要なこととしては、本体を振った際に、外筒に設けた第一の加飾部に対する加飾体の見え方が変化し、且つ当該加飾体が内筒に設けた第二の加飾部の見え方を変化させる構造とすることである。
【０００６】
また３項に記載のように、加飾体を本体の振動に伴い前後動する摺動筒とし、該摺動筒に透過部を設けることにより、例えば当該摺動筒の側面に印刷した模様の隙間から、内筒の側面に設けた模様が視認可能となるので、デザイン性が向上する。さらに摺動筒を弾性体で形成した場合には、本体を振った際に、外筒と内筒との間隙で動く摺動筒が、間隙の前後方向へぶつかる衝撃を緩和することができ、衝突時の音のうるささや、不快な振動を緩和することができるものとなる。また４項に記載のように、加飾体を軸筒の円周方向に回転可能に配設することで、外筒を透して見える加飾体の第三の加飾部の状態変化をさらに楽しむことができる。また５項に記載のように、加飾体の内面または内筒の外面に突部を形成し、該突部に対向する加飾体の内面または内筒の外面に、前記軸筒の軸心に沿った方向に対して傾斜する溝部を設け、該傾斜した溝部に前記突部を係止させることで、加飾体が前後に動きながら溝部の傾斜方向に沿って回転を行うものとなる。
【発明の効果】
【０００７】
本発明は上述した構成であるため、装飾効果の高い振出式シャープペンシルを提供することができた。
【発明を実施するための最良の形態】
【０００８】
次に図面を参照しながら説明を行う。本実施例においては筆記先端側を前方と表現し、その反対側を後方と表現する。尚、図中の同じ部材、同じ部品については、同じ符号としている。
【０００９】
図１および図２は本発明に係るシャープペンの実施例を示したものであり、図１は全体の断面図であり、図２は中央部を約半分にした拡大断面図である。シャープペンシル本体１は、軸筒２を前軸３と後軸４とで構成してある。前軸３は、口金５と後軸４とを連結する連結筒６に透明な外グリップ７１と内グリップ７２とで二重構造としたグリップ７を装着してある。また後軸４は、透明樹脂からなる外筒８の内側に間隙９を隔てて内筒１０を内在させており、内筒１０の前端部に形成した雄螺子部１０ａと、前記連結筒６の後端部に形成した雌螺子部６ａとを螺合させてある。尚、外筒８は連結筒６の後方に形成した鍔部６ｂと、内筒１０の後端に形成した鍔部１０ｂとで挟持してある。透明な外筒８と内筒１０との間隙９には、内筒１０の外周に遊嵌するよう装着した透明樹脂からなる摺動筒１１を配設してあり、本体１を前後に振った際に、間隙９内で摺動筒１１が前後動するようにしてある。
【００１０】
詳細は後述するが、外筒８と内筒１０と摺動筒１１には、装飾模様である第一の加飾部１２と第二の加飾部１３と第三の加飾部１４とを、印刷によりそれぞれの表面の複数箇所に設けてある。尚、本実施例では外筒８を透明樹脂で成形してあることから、第一の加飾部１２の隙間である透過部１２ａより、摺動筒１１の第三の加飾部１４および内筒１０の第二の加飾部１３を見ることが可能である。また摺動筒１１も透明樹脂で成形してあることから、第三の加飾部１４の隙間である透過部１４ａより、内筒１０の第二の加飾部１３を見ることが可能である。
【００１１】
次に主に図２を用いて本実施例の芯繰出機構についての説明を行う。本実施例では、芯１００を適宜の力で保持するゴム材からなる芯ホルダ１５を前記口金５の先端部に装着し、芯ホルダ１５の後方位置において締リング１６により芯１００を後退しないように挟持するチャック１７を配設し、締リング１６の後方位置においてスプリング１８の弾発力を受けるワッシャー１９を前記口金５の内部に形成した段部５ａと前記連結筒６の先端とで挟持させ、前記チャック１７の後部と係合させたコレクタ２０で前記スプリング１８の後端を当接させ、芯タンク２１を前記コレクタ２０に当該芯タンク２１の先端がコレクタ２０の鍔部 ２０ａ当接するようにして装着してある。また、連結筒６および内筒１０と、芯タンク２１との間に形成される空間部２２には、重量体２３を芯タンク２１の外周に遊嵌するよう配設してある。本実施例のシャープペンシル本体１は、前後に振ることで、重量体２３が空間部２２内を前方はコネクタ２０に当接するまで、後方は中駒２４に当接するまで前後動を行い、重量体２３が前進した際には、重量体２３の慣性力でコネクタ２０とチャック１７および締リング１６をスプリング１８の弾発力に抗して前進させ、締リング１６が前記口金５に形成した当接段部５ｂに当接してチャック１７を開放する迄の距離分だけ芯１００を繰り出し、前記動作で繰り出した芯１００は芯ホルダ１５により一時的に保持され、重量体２３の慣性力の影響がなくなったコネクタ２０がスプリング１８の弾発力で後退することにより、コネクタ２０に係合したチャック１７が後退し、再び締リング１６がチャック１７を締めることで芯１００を挟持して、芯１００の突出状態を維持して筆記可能状態にできる構造である。また、本実施例では軸筒２の後端部にノブ２５を配設してあり、ノブ２５を前進させることにより、前方を中駒２４に嵌合させてあるノック体２６をリターンスプリング２７の弾発力に抗して前進させ、中駒２４の内方に設けた膨出部２４ａに当接した芯タンク２１を前進させて一体的にコネクタ２０を前進させ、芯１００の繰り出しを行うことも可能である。尚、ノック体２６の内部には消しゴム２８を配設してある。
【００１２】
図３は本実施例のシャープペンシル本体を側面から見た図で、図３Ａ，図３Ｂ，図３Ｃはシャープペンシル本体を前後に振った時の状態変化を示す図である。図４は本実施例の要部の拡大断面図である。図３に示すように、前述した外筒８と内筒１０に設けた第一の加飾部１２と第二の加飾部１３は植物の葉の模様であり、摺動筒１１に設けた第三の加飾部１４はてんとう虫の模様である。図４に示すように本実施例では、摺動筒１１の内面に突部１１ａを形成し、軸筒２の軸心に沿った方向に対して傾斜するよう内筒１０の側面に形成した溝部１０ｃに、前記突部１１ａを遊嵌させてあることから、シャープペンシル本体１を前後に振った際には、図３Ａ〜図３Ｃの状態変化が示すように、摺動筒１１が回転しながら前後動を行うことができ、シャープペンシル本体１の側面から見える加飾部の変化を楽しむことができた。尚、本実施例では内グリップ７２の側面にも植物の葉の模様を印刷してある。
【００１３】
図５は本発明の変形例である。図６は図５の要部拡大断面図である。変形例のシャープペンシル本体１Ａは、先の実施例のシャープペンシル１と同様に、軸筒２Ａを前軸３Ａと後軸４Ａとで構成してある。本実施例の後軸４Ａは透明樹脂からなる外筒８Ａの表面の大部分に半透明な青色の印刷を第一の加飾部１２Ｂ（水のイメージ）として設けてある。この第一の加飾部１２Ｂを透して内筒の表面に印刷で設けた魚模様の第二の加飾部１３Ｂを見ることができる。尚、本実施例では透明な外筒８Ａと内筒１０Ａとの間隙９には、円環部材２９に金属細線３０を海草として植設した加飾体１４Ａを配設してあり、芯を繰り出す際にシャープペンシル本体１Ａを前後に振ることで、海草である金属細線３０が前後に動きながらゆらゆら揺れて、シャープペンシル本体１Ａの側面から見える加飾体の変化を楽しむことができた。その他の芯の繰出機構などの構造は先の実施例と同様であるため、説明は省略する。尚、変形例では内グリップ７２Ａの側面にカニと貝の模様を印刷してある。
【産業上の利用可能性】
【００１４】
本願発明はシャープペンシルに限定されず、本体を振ることにより筆記体を繰り出すことができる構造のものであれば、種々の筆記具や塗布具に用いることが可能である。
【図面の簡単な説明】
【００１５】
【図１】本実施例のシャープペンシル本体における全体の断面図である。
【図２】中央部を約半分にした拡大断面図である。
【図３】本実施例のシャープペンシル本体を側面から見た図で、図３Ａ，図３Ｂ，図３Ｃはシャープペンシル本体を前後に振った時の状態変化を示す図である。
【図４】本実施例の要部の拡大断面図である。
【図５】本発明の変形例である。
【図６】図５の要部拡大断面図である。
【符号の説明】
【００１６】
１…シャープペンシル本体、２…軸筒、３…前軸、４…後軸、
５…口金、５ａ…段部、５ｂ…当接段部、
６…連結筒、６ａ…雌螺子部、６ｂ…鍔部、
７…グリップ、７１…外グリップ、７２…内グリップ、８…外筒、９…間隙、
１０…内筒、１０ａ…雄螺子部、１０ｂ…鍔部、１０ｃ…溝部、
１１…摺動筒、１１ａ…突部、
１２…第一の加飾部、１３…第二の加飾部、１４…第三の加飾部、
１００…芯、１５…芯ホルダ、１６…締リング、１７…チャック、１８…スプリング、
１９…ワッシャー、２０…コレクタ、２１…芯タンク、２０ａ…鍔部、
２２…空間部、２３…重量体、２４…中駒、２４ａ…膨出部、２５…ノブ、
２６…ノック体、２７…リターンスプリング、消しゴム２８、
１Ａ…シャープペンシル、２Ａ…軸筒、３Ａ…前軸、４Ａ…後軸、
８Ａ…外筒、１２Ｂ…第一の加飾部、１３Ｂ…第二の加飾部、８Ａ…外筒、
１０Ａ…内筒、２９…円環部材、３０…金属細線、１４Ａ…加飾体、
７２Ａ…内グリップ。
【図１】
2008265102.tif 000003
【図２】
2008265102.tif 000004
【図３】
2008265102.tif 000005
【図４】
2008265102.tif 000006
【図５】
2008265102.tif 000007
【図６】
2008265102.tif 000008